(57)【要約】【課題】学校、競技場等のグラウンドの表面温度を低く保つことができヒートアイランド現象を緩和するのに有効なるグラウンド構造を石炭焼却灰等の産業廃棄物を有効利用することにより施工可能にする。【解決手段】地盤の上面を緩傾斜面状に形成し、該地盤上に保水層を形成するとともに該保水層の傾斜下部に透水性の側壁を有する排水樋を配設し、該保水層上に表層を形成し該表層の上面を前記地盤と略々平行な緩傾斜面状にし該表層上面の傾斜下部を前記排水樋の上部開口と一連にする。保水層を焼却灰からなる吸水率５％以上、直径２５ｍｍ以下の多孔性粒子により透水係数が５．０×１０−５ｃｍ／ｓ以上、厚さが１００〜２００ｍｍとなるように形成し、表層は直径５ｍｍ以下の土砂により透水係数が５．０×１０−４ｃｍ／ｓ以上、厚さが５０〜１００ｍｍとなるように形成する。【選択図】図１
2005256361.tif 000002
【特許請求の範囲】
【請求項１】
地盤上に保水層を形成するとともに該保水層の外縁に透水性の側壁を有する排水樋を配設し、該保水層上に表層を形成し該表層の上面を緩傾斜面状にし該表層上面の傾斜下部を前記排水樋の上部開口と一連にしてなることを特徴とした表面温度が低く保たれるグラウンド構造。
【請求項２】
地盤の上面を緩傾斜面状に形成し、該地盤上に保水層を形成するとともに該保水層の傾斜下部に透水性の側壁を有する排水樋を配設し、該保水層上に表層を形成し該表層の上面を前記地盤と略々平行な緩傾斜面状にし該表層上面の傾斜下部を前記排水樋の上部開口と一連にしてなることを特徴とした表面温度が低く保たれるグラウンド構造。
【請求項３】
焼却灰からなる吸水率５％以上、直径２５ｍｍ以下の多孔性粒子により透水係数が５．０×１０−５ｃｍ／ｓ以上、厚さが１００〜２００ｍｍとなるように保水層を形成し、表層は直径５ｍｍ以下の土砂により透水係数が５．０×１０−４ｃｍ／ｓ以上、厚さが５０〜１００ｍｍとなるように形成した請求項１または２に記載の表面温度が低く保たれるグラウンド構造。
【請求項４】
緩傾斜面の勾配を０．４〜０．６％とした請求項１乃至３のいずれかに記載の表面温度が低く保たれるグラウンド構造。
【発明の詳細な説明】
【技術分野】
【０００１】
本発明は、学校、競技場等のグラウンドの表面温度を低く保つことができ、夏期のヒートアイランド現象を緩和するのに有効なるグラウンドの構造に関するものである。
【背景技術】
【０００２】
周知のように舗装道路が多い市街地でおきるヒートアイランド現象は、生活環境を悪化させるなど近年特に問題が顕在化している。
ところで、学校、競技場等のグラウンドは市街地においてもかなり高い割合で面積を占めているが、従来では降雨などの水の排水が効率よく短時間で行われるように配水管を埋設するなどしてグラウンドの使用効率を高めようとしたものであった。このため、特に夏期晴天時にはグラウンドの表面温度が高くなり、ヒートアイランド現象を一層助長している状況であった。また、晴天が続くとグラウンド表面が乾燥し土埃を飛散させ易い欠点もある。
【０００３】
なお、下記特許文献１は、配水管を埋設することで排水効率をよくしたグラウンドの水抜き工法を開示するものである。また、下記特許文献２に記載された湿潤性舗装システムは、透水性舗装材を地表面に敷設するとともにその下に導水性配管と導水シートを埋設し、毛細管現象により水分を導いて路面を常に湿潤させ、ヒートアイランド現象を緩和しようとするものである。さらに、下記特許文献３に記載された地表面冷却構造は、グラウンド等の地中に雨水貯留槽を設けるとともに、一端を該雨水貯留槽に浸漬させた吸上げシート、保水シートを設け、グラウンド地表を湿潤させるものである。
【特許文献１】特開２００３−１９３５４３号公報
【特許文献２】特開２００１−８１７０９号公報
【特許文献３】特開２００３−２８６７０３号公報
【発明の開示】
【発明が解決しようとする課題】
【０００４】
しかしながら従来の上記グラウンド工法は、吸上げシート、保水シート等の資材を要するものであったので、施工コストが高くなるとともに、貯水能力よりも多くの降雨があった場合にグラウンド地表に水たまりをつくるおそれがあった。
【０００５】
また、火力発電所から常時大量に排出される石炭焼却灰（クリンカ）は、隙間が多く強度がないので構造物の骨材としての用途もなく、従来では海中投棄するほかないものであったが、その処理コストが高く、環境への影響も懸念されるものであった。
また、ゴミ処理場から排出されるゴミ焼却灰は、アーク炉等によって加熱溶融し、ガラス状とすることにより有害物質拡散のおそれをなくしたうえで、海中投棄することがなされていたが、このような廃棄物の処理コストも同様に高くつくものであった。
【０００６】
そこで本発明は、低コストで施工でき、表面温度が低く保たれるようにする新規なグラウンド構造を提供しようとするものである。
【課題を解決するための手段】
【０００７】
そのために請求項１に記載のグラウンド構造の発明は、地盤上に保水層を形成するとともに該保水層の外縁に透水性の側壁を有する排水樋を配設し、該保水層上に表層を形成し該表層の上面を緩傾斜面状にし該表層上面の傾斜下部を前記排水樋の上部開口と一連にしてなることを特徴とする。
【０００８】
また請求項２に記載のグラウンド構造の発明は、地盤の上面を緩傾斜面状に形成し、該地盤上に保水層を形成するとともに該保水層の傾斜下部に透水性の側壁を有する排水樋を配設し、該保水層上に表層を形成し該表層の上面を前記地盤と略々平行な緩傾斜面状にし該表層上面の傾斜下部を前記排水樋の上部開口と一連にしてなることを特徴とする。
【０００９】
また請求項３に記載の発明は、上記請求項１または２に記載のグラウンド構造において、焼却灰からなる吸水率５％以上、直径２５ｍｍ以下の多孔性粒子により透水係数が５．０×１０−５ｃｍ／ｓ以上、厚さが１００〜２００ｍｍとなるように保水層を形成し、表層は直径５ｍｍ以下の土砂により透水係数が５．０×１０−４ｃｍ／ｓ以上、厚さが５０〜１００ｍｍとなるように形成したことを特徴とする。このように保水層を構成する多孔性粒子、および透水係数、厚さ、および表層の土砂の透水係数、厚さ等を定めることにより、必要十分な雨水が地表面間近に貯留される。このため晴天時に気化熱を奪いグランドの表面温度を低下させ、異常高温を防止できる。
【００１０】
また請求項４に記載の発明は、上記請求項１〜３のいずれかに記載のグラウンド構造において、緩傾斜面の勾配を０．４〜０．６％としたことを特徴とする。このため、排水性を損なうことなく大雨後も短時間で競技等に使用することを可能にする。
【発明の効果】
【００１１】
本発明のグラウンド構造によれば、晴天時に気化熱を奪いグランドの表面温度を低下させ、異常高温を防止できる、しかも排水性を損なうことがない。また、保水層として石炭焼却灰やゴミ焼却灰固結粒子等を使用することにより、これらの産業廃棄物を有効利用でき、低コストで理想的なグラウンドを整備することができる。
【実施例１】
【００１２】
次に本発明の実施例を図面に従い説明する。図１に本発明に係るグラウンド構造を縦断面図にて示す。図中、１は硬質の地盤で、該地盤の上面２は勾配０．４〜０．６％の緩傾斜面に形成する。３は該地盤上に形成した保水層で、該保水層は火力発電所から出る石炭焼却灰（クリンカ）、またはゴミ処理場から出るゴミ焼却灰等により、吸水率５％以上、直径２５ｍｍ以下の多孔性粒子を形成し、該多孔性粒子を地盤１上に厚さ１００〜２００ｍｍに形成してなるもので、これによって透水係数が５．０×１０−５ｃｍ／ｓ以上となるようにする。また、４は該保水層の傾斜下部に配設された横断面Ｕ字形のコンクリート製排水樋で、該排水樋は骨材間に０．５〜０．８ｍｍ程度の空隙が出来るようにすることにより透水性を有する側壁４ａが形成され、該側壁４ａが保水層３と接するように配設される。
【００１３】
また、５は直径５ｍｍ以下の土砂により保水層３上に透水係数が５．０×１０−４ｃｍ／ｓ以上、厚さが５０〜１００ｍｍとなるように形成した表層で、該表層の上面６を前記地盤１の上面２と略々平行な緩傾斜面状（勾配０．４〜０．６％）に形成し、該表層上面６の傾斜下部を前記排水樋４の上部開口４ｂと一連にする。なお、７は排水樋４の上部開口に被したグレーチングである。
【００１４】
なお、図２はこのグラウンドの平面図を例示するもので、同図に示すように上記排水樋４はグラウンドの周囲に配設され、グラウンド中央に傾斜上部を連ねる峰線８を位置させる。このため、グラウンドに降った雨水は表層５に浸透するとともに、表層上面６を周囲に流れ上部開口４ｂより排水樋４に流入する。
【００１５】
このように構成したグラウンドでは、表層５に浸透した雨水が保水層３に落ちて該保水層に貯留される。該保水層は上記多孔性粒子に設定により、その粒子内および粒子間に大量に雨水を蓄えることができる。また、該保水層が雨水で満杯になると余った雨水は透水性の側壁４ａを貫流して排水樋４に排出される。このため、保水層３には常に一定量以下の雨水が貯留されるだけで、大雨時でも排水性を損なうことがなく、表層５がぬかるんだり水たまりができることもなく、大雨後も短時間で競技等に使用することが可能となる。
【００１６】
また、表層５が乾くに従って毛細管現象により間近にある保水層３に貯留された雨水が吸い上げられ、該表層を湿潤させるとともに該表層表面から水蒸気が大気中に放出される。このとき大量の気化熱を奪いその表面温度を低下させる。このため日射により表層５が異常に高温度になることもなく、市街地のヒートアイランド現象が緩和され、同時に土埃の飛散も防止される。
【００１７】
また、保水層３として石炭焼却灰やゴミ焼却灰固結粒子等を使用することにより、これらの産業廃棄物を有効利用できるとともに、コストを掛けることなく理想的なグラウンドを整備することができる。
【図面の簡単な説明】
【００１８】
【図１】本発明の実施例であるグラウンド構造の縦断面図。
【図２】本発明の実施例であるグラウンドの平面図。
【符号の説明】
【００１９】
１      地盤
２      地盤の上面
３      保水層
４      排水樋
４ａ    排水樋の側壁
４ｂ    排水樋の上部開口
５      表層
６      表層の上面
【図１】
2005256361.tif 000003
【図２】
2005256361.tif 000004